【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
キャリアアグリゲーション（ＣＡ）構成の複数のコンポーネントキャリア（ＣＣ）を監視しながら１つまたは複数のターゲット周波数帯域を測定するための前記ＵＥの複数の受信機の能力に少なくとも部分的に基づく帯域固有測定ギャップインジケーションをシグナリングすることと、
前記１つまたは複数のターゲット周波数帯域のうちの少なくとも１つに関連付けられた前記複数のＣＣのうちの少なくとも１つの第１のＣＣのための測定ギャップ構成と、前記少なくとも１つの第１のＣＣのための前記測定ギャップ構成の少なくとも１つのギャップ中に前記複数のＣＣのうちの少なくとも１つの第２のＣＣを監視するようにとのインジケーションとを備える測定ギャップ構成メッセージを受信することと、ここにおいて、前記測定ギャップ構成は前記帯域固有測定ギャップインジケーションに少なくとも部分的に基づき、前記少なくとも１つの第１のＣＣのための測定ギャップは前記複数のもののうちの他のＣＣのための測定ギャップとは独立して構成される、
を備える、ワイヤレス通信の方法。
【請求項２】
前記帯域固有測定ギャップインジケーションは、
前記１つまたは複数のターゲット周波数帯域の各々を測定することに関連付けられる前記複数のＣＣのサブセットのインジケーション、
前記１つまたは複数のターゲット周波数帯域の組合せを測定するための前記複数の受信機の各々の前記能力に少なくとも部分的に基づく別個のインジケーション、または、
複数のＣＡ受信機構成に対応する複数のサポートされる周波数帯域測定ギャップ関連付け、
を備える、請求項１に記載の方法。
【請求項３】
前記帯域固有測定ギャップインジケーションは、前記複数のＣＣの各々を、前記１つまたは複数のターゲット周波数帯域上の測定ギャップに関連付けるビットマップを備える、請求項２に記載の方法。
【請求項４】
前記ＣＡ構成とともに使用するために利用可能な１つまたは複数の測定ギャップパターンをシグナリングすること、
をさらに備える、請求項１に記載の方法。
【請求項５】
前記測定ギャップ構成メッセージは、
前記少なくとも１つの第１のＣＣを監視することが、他のＣＣ上の送信を監視しながら前記１つまたは複数のターゲット周波数帯域のうちの少なくとも１つを測定するために中断され得る、１つまたは複数のギャップのインジケーション、または、
前記複数のＣＣのうちの異なるＣＣのための異なる測定ギャップ構成のインジケーション、または、
測定ギャップ中に前記少なくとも１つの第１のＣＣ上で測定を実行しないようにとのインジケーション、または、
複数の測定ギャップ構成オプション
を備え、
前記方法は、さらに、前記複数の測定ギャップ構成オプションから前記少なくとも１つの第１のＣＣのための前記測定ギャップ構成を選択することと、前記選択された測定ギャップ構成オプションをシグナリングすることと、を備える、
請求項１に記載の方法。
【請求項６】
前記少なくとも１つの第１のＣＣのための前記少なくとも１つのギャップ中に前記少なくとも１つの第２のＣＣに関連付けられたアップリンク制御メッセージを送信すること、
をさらに備える、請求項２に記載の方法。
【請求項７】
前記測定ギャップ構成に従って前記１つまたは複数のターゲット周波数帯域のうちの少なくとも１つ上で測定を実行すること、ここにおいて、前記ＵＥは、前記測定を実行しながら、前記複数のＣＣのうちの少なくとも１つを監視し続ける、
をさらに備える、請求項１に記載の方法。
【請求項８】
前記１つまたは複数のターゲット周波数帯域は、共有スペクトルまたは無認可スペクトル中の１つまたは複数の周波数帯域を備える、請求項１に記載の方法。
【請求項９】
前記測定ギャップ構成は、前記複数のＣＣを監視することの途絶を最小限に抑えること、アップリンク（ＵＬ）送信の途絶を最小限に抑えること、またはその両方に少なくとも部分的に基づいて選択される、請求項２に記載の方法。
【請求項１０】
キャリアアグリゲーション（ＣＡ）構成の複数のコンポーネントキャリア（ＣＣ）を監視しながら１つまたは複数のターゲット周波数帯域を測定するためのユーザ機器（ＵＥ）の複数の受信機の能力に少なくとも部分的に基づく帯域固有測定ギャップインジケーションを受信することと、
前記帯域固有測定ギャップインジケーションに少なくとも部分的に基づいて測定ギャップのために前記ＵＥを構成することと、ここにおいて、少なくとも１つの第１のＣＣのための測定ギャップは前記複数のもののうちの他のＣＣのための測定ギャップとは独立して構成される、
前記１つまたは複数のターゲット周波数帯域のうちの少なくとも１つに関連付けられた前記複数のＣＣのうちの少なくとも１つの第１のＣＣのための測定ギャップ構成と、前記少なくとも１つの第１のＣＣのための前記測定ギャップ構成の少なくとも１つのギャップ中に前記複数のＣＣのうちの少なくとも１つの第２のＣＣを監視するようにとのインジケーションとを備える測定ギャップ構成メッセージを前記ＵＥに送信することと、
を備える、ワイヤレス通信の方法。
【請求項１１】
測定ギャップのために前記ＵＥを構成することは、
測定ギャップパターン中の測定ギャップの長さに少なくとも部分的に基づいて、複数のパターンから前記測定ギャップパターンを選択すること、
を備える、請求項１０に記載の方法。
【請求項１２】
対応するアップリンク（ＵＬ）構成についてのＵＬ中断に少なくとも部分的に基づいて、前記複数のＣＣのための測定ギャップ構成を決定すること、ここにおいて、前記測定ギャップは前記決定に少なくとも部分的に基づいて構成される、または、
前記複数のＣＣ上のダウンリンク（ＤＬ）中断を最小限に抑えることと、ここにおいて、前記測定ギャップは前記決定に少なくとも部分的に基づいて構成される、
をさらに備える、請求項１０に記載の方法。
【請求項１３】
対応するＵＬ構成についてのＵＬ中断に少なくとも部分的に基づいて、前記複数のＣＣのための前記測定ギャップ構成を決定することは、
前記対応するＵＬ構成がＵＬ制御チャネルを備えるかどうかを決定すること、ＵＬ制御情報が前記ＵＬ制御チャネル上で送られるかどうかを決定すること、またはその両方
を備える、請求項１２に記載の方法。
【請求項１４】
前記ＣＡ構成から、前記ＣＡ構成の前記複数のＣＣの間で最低信号対干渉プラス雑音比（ＳＩＮＲ）を有するＣＣ、またはＣＡ構成の他のＣＣよりも大きい負荷をもつＣＣ、またはその両方を決定すること、ここにおいて、前記測定ギャップは前記決定に少なくとも部分的に基づいて構成される、
をさらに備える、請求項１０に記載の方法。
【請求項１５】
ワイヤレス通信のための装置であって、
キャリアアグリゲーション（ＣＡ）構成の複数のコンポーネントキャリア（ＣＣ）を監視しながら１つまたは複数のターゲット周波数帯域を測定するための複数の受信機の能力に少なくとも部分的に基づく帯域固有測定ギャップインジケーションをシグナリングするための手段と、
前記１つまたは複数のターゲット周波数帯域のうちの少なくとも１つに関連付けられた前記複数のコンポーネントキャリア（ＣＣ）のうちの少なくとも１つの第１のＣＣのための測定ギャップ構成と、前記少なくとも１つの第１のＣＣのための前記測定ギャップ構成の少なくとも１つのギャップ中に前記複数のＣＣのうちの少なくとも１つの第２のＣＣを監視するようにとのインジケーションとを備える測定ギャップ構成メッセージを受信するための手段と、ここにおいて、前記測定ギャップ構成は前記帯域固有測定ギャップインジケーションに少なくとも部分的に基づき、前記少なくとも１つの第１のＣＣのための測定ギャップは前記複数のもののうちの他のＣＣのための測定ギャップとは独立して構成される、
を備える、装置。
【請求項１６】
ワイヤレス通信のための装置であって、
ユーザ機器（ＵＥ）のキャリアアグリゲーション（ＣＡ）能力を受信するための手段と、
前記ＣＡ構成の複数のコンポーネントキャリア（ＣＣ）を監視しながら、１つまたは複数のターゲット周波数帯域を測定するために、ユーザ機器（ＵＥ）の複数の受信機の能力に少なくとも部分的に基づく帯域固有測定ギャップインジケーションを受信するための手段と、
前記複数のＣＣのうちのいずれが測定ギャップを必要としているかを前記帯域固有測定ギャップインジケーションおよび前記ＣＡ能力から推論することに少なくとも部分的に基づいて、測定ギャップのために前記ＵＥを構成するための手段と、ここにおいて、少なくとも１つの第１のＣＣのための測定ギャップは前記複数のもののうちの他のＣＣのための測定ギャップとは独立して構成される、
を備える、装置。
【請求項１７】
ワイヤレス通信のためのコードを記憶する非一時的コンピュータ可読媒体であって、前記コードは、請求項１〜請求項１４のうちのいずれか一項に記載の方法をワイヤレス通信デバイスに実行させることを実行可能な命令を備える、コンピュータ可読媒体。
【手続補正２】
【補正対象書類名】明細書
【補正対象項目名】０１７３
【補正方法】変更
【補正の内容】
【０１７３】
[0180]本明細書の説明は、当業者が本開示を作成または使用することができるように与えられた。本開示への様々な変更は当業者には容易に明らかとなり、本明細書で定義した一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  キャリアアグリゲーション（ＣＡ）構成の複数のコンポーネントキャリア（ＣＣ）を監視しながら１つまたは複数のターゲット周波数帯域を測定するために、複数の受信機の能力に少なくとも部分的に基づく帯域固有測定ギャップインジケーションをシグナリングすることと、
前記１つまたは複数のターゲット周波数帯域のうちの少なくとも１つに関連付けられた前記複数のＣＣのうちの少なくとも１つの第１のＣＣのための測定ギャップ構成を備える測定ギャップ構成メッセージを受信することと、ここにおいて、前記測定ギャップ構成は前記帯域固有測定ギャップインジケーションに少なくとも部分的に基づく、
を備える、ワイヤレス通信の方法。
[Ｃ２]  前記測定ギャップ構成メッセージは、前記少なくとも１つの第１のＣＣのための前記測定ギャップ構成の少なくとも１つのギャップ中に、前記複数のＣＣのうちの少なくとも１つの第２のＣＣを監視するようにとのインジケーションを備える、Ｃ１に記載の方法。
[Ｃ３]  前記帯域固有測定ギャップインジケーションは、前記１つまたは複数のターゲット周波数帯域の各々を測定することに関連付けられる前記複数のＣＣのサブセットのインジケーションを備える、Ｃ１に記載の方法。
[Ｃ４]  前記帯域固有測定ギャップインジケーションは、前記複数のＣＣの各々を、前記１つまたは複数のターゲット周波数帯域上の測定ギャップに関連付けるビットマップを備える、Ｃ３に記載の方法。
[Ｃ５]  前記ＣＡ構成とともに使用するために利用可能な１つまたは複数の測定ギャップパターンをシグナリングすること、
をさらに備える、Ｃ１に記載の方法。
[Ｃ６]  前記測定ギャップ構成メッセージは、前記少なくとも１つの第１のＣＣを監視することが、他のＣＣ上の送信を監視しながら前記１つまたは複数のターゲット周波数帯域のうちの少なくとも１つを測定するために中断され得る、１つまたは複数のギャップのインジケーションを備える、Ｃ１に記載の方法。
[Ｃ７]  前記測定ギャップ構成メッセージは、前記複数のＣＣのうちの異なるＣＣのための異なる測定ギャップ構成のインジケーションを備える、Ｃ１に記載の方法。
[Ｃ８]  前記帯域固有測定ギャップインジケーションは、前記１つまたは複数のターゲット周波数帯域の組合せを測定するために、前記複数の受信機の各々の前記能力に少なくとも部分的に基づく別個のインジケーションを備える、Ｃ１に記載の方法。
[Ｃ９]  前記測定ギャップ構成メッセージは、測定ギャップ中に前記少なくとも１つの第１のＣＣ上で測定を実行しないようにとのインジケーションを備える、Ｃ１に記載の方法。
[Ｃ１０]  前記少なくとも１つの第１のＣＣのための前記少なくとも１つのギャップ中に前記少なくとも１つの第２のＣＣに関連付けられたアップリンク制御メッセージを送信すること、  をさらに備える、Ｃ２に記載の方法。
[Ｃ１１]  前記帯域固有測定ギャップインジケーションは、複数のＣＡ受信機構成に対応する複数のサポートされる周波数帯域測定ギャップ関連付けを備える、Ｃ１に記載の方法。
[Ｃ１２]  前記測定ギャップ構成に従って前記１つまたは複数のターゲット周波数帯域のうちの少なくとも１つ上で測定を実行すること、ここにおいて、前記ＵＥは、前記測定を実行しながら、前記複数のＣＣのうちの少なくとも１つを監視し続ける、
をさらに備える、Ｃ１に記載の方法。
[Ｃ１３]  前記１つまたは複数のターゲット周波数帯域は、共有スペクトルまたは無認可スペクトル中の１つまたは複数の周波数帯域を備える、Ｃ１に記載の方法。
[Ｃ１４]  前記測定ギャップ構成メッセージは複数の測定ギャップ構成オプションを備え、
前記方法は、前記複数の測定ギャップ構成オプションから前記少なくとも１つの第１のＣＣのための前記測定ギャップ構成を選択することと、前記選択された測定ギャップ構成オプションをシグナリングすることと、をさらに備える、Ｃ１に記載の方法。
[Ｃ１５]  前記測定ギャップ構成は、前記複数のＣＣを監視することの途絶を最小限に抑えること、アップリンク（ＵＬ）送信の途絶を最小限に抑えること、またはその両方に少なくとも部分的に基づいて選択される、Ｃ１４に記載の方法。
[Ｃ１６]  キャリアアグリゲーション（ＣＡ）構成の複数のコンポーネントキャリア（ＣＣ）を監視しながら１つまたは複数のターゲット周波数帯域を測定するために、ユーザ機器（ＵＥ）の複数の受信機の能力に少なくとも部分的に基づく帯域固有測定ギャップインジケーションを受信することと、
前記帯域固有測定ギャップインジケーションに少なくとも部分的に基づいて測定ギャップのために前記ＵＥを構成することと、
を備える、ワイヤレス通信の方法。
[Ｃ１７]  測定ギャップのために前記ＵＥを構成することは、
前記測定ギャップパターン中の測定ギャップの長さに少なくとも部分的に基づいて、複数のパターンから測定ギャップパターンを選択すること、
を備える、Ｃ１６に記載の方法。
[Ｃ１８]  対応するアップリンク（ＵＬ）構成についてのＵＬ中断に少なくとも部分的に基づいて、前記複数のＣＣのための測定ギャップ構成を決定すること、ここにおいて、前記測定ギャップは、前記決定に少なくとも部分的に基づいて構成される、
をさらに備える、Ｃ１６に記載の方法。
[Ｃ１９]  対応するＵＬ構成に少なくとも部分的に基づいて、前記複数のＣＣのための前記測定ギャップ構成を決定することは、
前記対応するＵＬ構成がＵＬ制御チャネルを備えるかどうかを決定すること、ＵＬ制御情報が前記ＵＬ制御チャネル上で送られるかどうかを決定すること、またはその両方
を備える、Ｃ１８に記載の方法。
[Ｃ２０]  前記複数のＣＣ上のダウンリンク（ＤＬ）中断を最小限に抑えることに少なくとも部分的に基づいて、前記複数のＣＣのための測定ギャップ構成を決定すること、ここにおいて、前記測定ギャップは、前記決定に少なくとも部分的に基づいて構成される、
をさらに備える、Ｃ１６に記載の方法。
[Ｃ２１]  前記ＣＡ構成から、前記ＣＡ構成の前記複数のＣＣの間で最低信号対干渉プラス雑音比（ＳＩＮＲ）を有するＣＣ、またはＣＡ構成の他のＣＣよりも大きい負荷をもつＣＣ、またはその両方を決定すること、ここにおいて、前記測定ギャップは前記決定に少なくとも部分的に基づいて構成される、
をさらに備える、Ｃ１６に記載の方法。
[Ｃ２２]  ワイヤレス通信のための装置であって、
キャリアアグリゲーション（ＣＡ）構成の複数のコンポーネントキャリア（ＣＣ）を監視しながら１つまたは複数のターゲット周波数帯域を測定するために、複数の受信機の能力に少なくとも部分的に基づく帯域固有測定ギャップインジケーションをシグナリングするための手段と、
前記１つまたは複数のターゲット周波数帯域のうちの少なくとも１つに関連付けられた前記複数のコンポーネントキャリア（ＣＣ）のうちの少なくとも１つの第１のＣＣのための測定ギャップ構成を備える測定ギャップ構成メッセージを受信するための手段と、ここにおいて、前記測定ギャップ構成は前記帯域固有測定ギャップインジケーションに少なくとも部分的に基づく、
を備える、装置。
[Ｃ２３]  前記測定ギャップ構成メッセージは、前記少なくとも１つの第１のＣＣのための前記測定ギャップ構成の少なくとも１つのギャップ中に、前記複数のＣＣのうちの少なくとも１つの第２のＣＣを監視するようにとのインジケーションを備える、Ｃ２２に記載の装置。
[Ｃ２４]  前記帯域固有測定ギャップインジケーションは、前記１つまたは複数のターゲット周波数帯域の各々を測定することに関連付けられる前記複数のＣＣのサブセットのインジケーションを備える、Ｃ２２に記載の装置。
[Ｃ２５]  前記ＣＡ構成とともに使用するために利用可能な１つまたは複数の測定ギャップパターンをシグナリングするための手段、
をさらに備える、Ｃ２２に記載の装置。
[Ｃ２６]  前記帯域固有測定ギャップインジケーションは、前記１つまたは複数のターゲット周波数帯域の組合せを測定するために、前記複数の受信機の各々の前記能力に少なくとも部分的に基づく別個のインジケーションを備える、Ｃ２２に記載の装置。
[Ｃ２７]  ワイヤレス通信のための装置であって、
キャリアアグリゲーション（ＣＡ）構成の複数のコンポーネントキャリア（ＣＣ）を監視しながら１つまたは複数のターゲット周波数帯域を測定するために、ユーザ機器（ＵＥ）の複数の受信機の能力に少なくとも部分的に基づく帯域固有測定ギャップインジケーションを受信するための手段と、
前記帯域固有測定ギャップインジケーションに少なくとも部分的に基づいて測定ギャップのために前記ＵＥを構成するための手段と、
を備える、装置。
[Ｃ２８]  測定ギャップのために前記ＵＥを構成することは、
前記測定ギャップパターン中の測定ギャップの長さに少なくとも部分的に基づいて、複数のパターンから測定ギャップパターンを選択すること、
を備える、Ｃ２７に記載の装置。
[Ｃ２９]  対応するアップリンク（ＵＬ）構成についてのＵＬ中断に少なくとも部分的に基づいて、前記複数のＣＣのための測定ギャップ構成を決定するための手段、ここにおいて、前記測定ギャップは、前記決定に少なくとも部分的に基づいて構成される、
をさらに備える、Ｃ２７に記載の装置。
[Ｃ３０]  前記複数のＣＣ上のダウンリンク（ＤＬ）中断を最小限に抑えることに少なくとも部分的に基づいて、前記複数のＣＣのための測定ギャップ構成を決定するための手段、ここにおいて、前記測定ギャップは、前記決定に少なくとも部分的に基づいて構成される、
をさらに備える、Ｃ２７に記載の装置。
[Ｃ３１]  ワイヤレス通信のための装置であって、
プロセッサと、
前記プロセッサと電子通信しているメモリと、
前記メモリに記憶された命令と、を備え、前記命令は、前記プロセッサによって実行されたとき、前記装置に、
キャリアアグリゲーション（ＣＡ）構成の複数のコンポーネントキャリア（ＣＣ）を監視しながら１つまたは複数のターゲット周波数帯域を測定するために、複数の受信機の能力に少なくとも部分的に基づく帯域固有測定ギャップインジケーションをシグナリングすることと、
前記１つまたは複数のターゲット周波数帯域のうちの少なくとも１つに関連付けられた前記複数のコンポーネントキャリア（ＣＣ）のうちの少なくとも１つの第１のＣＣのための測定ギャップ構成を備える測定ギャップ構成メッセージを受信することと、ここにおいて、前記測定ギャップ構成は前記帯域固有測定ギャップインジケーションに少なくとも部分的に基づく、
を行わせるように動作可能である、装置。
[Ｃ３２]  前記測定ギャップ構成メッセージは、前記少なくとも１つの第１のＣＣのための前記測定ギャップ構成の少なくとも１つのギャップ中に、前記複数のＣＣのうちの少なくとも１つの第２のＣＣを監視するようにとのインジケーションを備える、Ｃ３１に記載の装置。
[Ｃ３３]  前記命令は、
前記少なくとも１つのギャップ中に、前記少なくとも１つの第２のＣＣに関連付けられたアップリンク制御メッセージを送信すること、
を行わせるように動作可能である、Ｃ３２に記載の装置。
[Ｃ３４]  前記帯域固有測定ギャップインジケーションは、前記１つまたは複数のターゲット周波数帯域の各々を測定することに関連付けられた前記複数のＣＣのサブセットのインジケーションを備える、Ｃ３１に記載の装置。
[Ｃ３５]  前記帯域固有測定ギャップインジケーションは、前記複数のＣＣの各々を、前記１つまたは複数のターゲット周波数帯域上の測定ギャップに関連付けるビットマップを備える、Ｃ３４に記載の装置。
[Ｃ３６]  前記命令は、
前記ＣＡ構成とともに使用するために利用可能な１つまたは複数の測定ギャップパターンをシグナリングすること、
を行わせるように動作可能である、Ｃ３１に記載の装置。
[Ｃ３７]  前記帯域固有測定ギャップインジケーションは、複数のＣＡ受信機構成に対応する複数のサポートされる周波数帯域測定ギャップ関連付けを備える、Ｃ３１に記載の装置。
[Ｃ３８]  前記命令は、
前記測定ギャップ構成に従って前記１つまたは複数のターゲット周波数帯域のうちの少なくとも１つ上で測定を実行すること、
を行わせるように動作可能である、Ｃ３１に記載の装置。
[Ｃ３９]  前記測定ギャップ構成メッセージは、複数の測定ギャップ構成オプションを備え、
前記命令は、前記装置に、前記複数の測定ギャップ構成オプションから前記少なくとも１つの第１のＣＣのための前記測定ギャップ構成を選択させるように動作可能である、Ｃ３１に記載の装置。
[Ｃ４０]  前記測定ギャップ構成は、前記複数のＣＣを監視することの途絶を最小限に抑えること、アップリンク（ＵＬ）送信の途絶を最小限に抑えること、またはその両方に少なくとも部分的に基づいて選択される、Ｃ３９に記載の装置。
[Ｃ４１]  前記帯域固有測定ギャップインジケーションは、前記１つまたは複数のターゲット周波数帯域の組合せを測定するための、前記複数の受信機の各々の前記能力に少なくとも部分的に基づく別個のインジケーションを備える、Ｃ３１に記載の装置。
[Ｃ４２]  ワイヤレス通信のための装置であって、
プロセッサと、
前記プロセッサと電子通信しているメモリと、
前記メモリに記憶された命令と、を備え、前記命令は、前記プロセッサによって実行されたとき、前記装置に、
キャリアアグリゲーション（ＣＡ）構成の複数のコンポーネントキャリア（ＣＣ）を監視しながら１つまたは複数のターゲット周波数帯域を測定するために、ユーザ機器（ＵＥ）の複数の受信機の能力に少なくとも部分的に基づく帯域固有測定ギャップインジケーションを受信することと、
前記帯域固有測定ギャップインジケーションに少なくとも部分的に基づいて測定ギャップのために前記ＵＥを構成することと、
を行わせるように動作可能である、装置。
[Ｃ４３]  測定ギャップのために前記ＵＥを構成することは、
前記測定ギャップパターン中の測定ギャップの長さに少なくとも部分的に基づいて、複数のパターンから測定ギャップパターンを選択すること、
を備える、Ｃ４２に記載の装置。
[Ｃ４４]  前記命令は、
対応するアップリンク（ＵＬ）構成についてのＵＬ中断に少なくとも部分的に基づいて、前記複数のＣＣのための測定ギャップ構成を決定すること、ここにおいて、前記測定ギャップは、前記決定に少なくとも部分的に基づいて構成される、
を行わせるように動作可能である、Ｃ４２に記載の装置。
[Ｃ４５]  対応するＵＬ構成に少なくとも部分的に基づいて、前記複数のＣＣのための前記測定ギャップ構成を決定することは、
前記対応するＵＬ構成がＵＬ制御チャネルを備えるかどうかを決定すること、ＵＬ制御情報が前記ＵＬ制御チャネル上で送られるかどうかを決定すること、またはその両方
を備える、Ｃ４４に記載の装置。
[Ｃ４６]  前記命令は、
前記複数のＣＣ上のダウンリンク（ＤＬ）中断を最小限に抑えることに少なくとも部分的に基づいて、前記複数のＣＣのための測定ギャップ構成を決定すること、ここにおいて、前記測定ギャップは、前記決定に少なくとも部分的に基づいて構成される、
を行わせるように動作可能である、Ｃ４２に記載の装置。
[Ｃ４７]  前記命令は、
前記ＣＡ構成から、前記ＣＡ構成の前記複数のＣＣの間で最低信号対干渉プラス雑音比（ＳＩＮＲ）を有するＣＣ、またはＣＡ構成の他のＣＣよりも大きい負荷をもつＣＣ、またはその両方を決定すること、ここにおいて、前記測定ギャップは前記決定に少なくとも部分的に基づいて構成される、
を行わせるように動作可能である、Ｃ４２に記載の装置。
[Ｃ４８]  ワイヤレス通信のためのコードを記憶する非一時的コンピュータ可読媒体であって、前記コードは、
キャリアアグリゲーション（ＣＡ）構成の複数のコンポーネントキャリア（ＣＣ）を監視しながら１つまたは複数のターゲット周波数帯域を測定するために、複数の受信機の能力に少なくとも部分的に基づく帯域固有測定ギャップインジケーションをシグナリングすることと、
前記１つまたは複数のターゲット周波数帯域のうちの少なくとも１つに関連付けられた前記複数のＣＣのうちの少なくとも１つの第１のＣＣのための測定ギャップ構成を備える測定ギャップ構成メッセージを受信することと、ここにおいて、前記測定ギャップ構成は前記帯域固有測定ギャップインジケーションに少なくとも部分的に基づく、
を行うために実行可能な命令を備える、非一時的コンピュータ可読媒体。
[Ｃ４９]  前記測定ギャップ構成メッセージは、前記少なくとも１つの第１のＣＣのための前記測定ギャップ構成の少なくとも１つのギャップ中に、前記複数のＣＣのうちの少なくとも１つの第２のＣＣを監視するようにとのインジケーションを備える、Ｃ４８に記載の非一時的コンピュータ可読媒体。
[Ｃ５０]  ワイヤレス通信のためのコードを記憶する非一時的コンピュータ可読媒体であって、前記コードは、
キャリアアグリゲーション（ＣＡ）構成の複数のコンポーネントキャリア（ＣＣ）を監視しながら１つまたは複数のターゲット周波数帯域を測定するために、ユーザ機器（ＵＥ）の複数の受信機の能力に少なくとも部分的に基づく帯域固有測定ギャップインジケーションを受信することと、
前記帯域固有測定ギャップインジケーションに少なくとも部分的に基づいて測定ギャップのために前記ＵＥを構成することと、
を行うために実行可能な命令を備える、非一時的コンピュータ可読媒体。